(57)【要約】【課題】  ユニットバスの天井パネル取付構造を提供する。【解決手段】  ユニットバスの天井パネル３取付構造は、壁パネル１と、壁パネル１の上面２に回転自在に取り付けた天井連結材５と、天井連結材５に嵌める長孔４を備えた天井パネル３と、壁パネル１の上面２に設置した弾性材料からなる圧接材１２と、からなる天井パネル３取付構造であり、圧接材１２を壁パネル１の上面２と天井パネル３の間に介在させて、天井連結材５の本体外面から斜め外下方に連出した弾性を有する羽根部７の下端を天井パネル３の上面１３に弾接させ、天井パネル３を壁パネル１の上面２に取り付けた。【選択図】        図１
2010053540.tif 000002
【特許請求の範囲】
【請求項１】
天井連結材の本体外面から斜め外下方に向けて弾性を有する羽根部を連出させ、前記天井連結材を壁パネルの上面に回転自在に取り付け、天井パネルに長孔を設け、前記長孔の短辺寸法を、前記羽根部の縮径した状態の前記天井連結材の前記羽根部を有する側の寸法および前記天井連結材の前記羽根部の無い側の寸法より長く、且つ前記羽根部の拡径した状態の前記天井連結材の前記羽根部を有する側の寸法より短く設定し、長辺寸法を前記羽根部の拡径した状態の前記天井連結材の前記羽根部を有する側の寸法より長く設定し、前記壁パネルの上面と前記天井パネルとの間に弾性材料からなる圧接材を介在させて、前記天井連結材を前記長孔に嵌めるとともに、前記羽根部の下端を前記長孔の長辺側の前記天井パネルの上面に弾接させたことを特徴とするユニットバスの天井パネル取付構造。
【発明の詳細な説明】
【技術分野】
【０００１】
本発明は、ユニットバスの天井パネル取付構造に関するものである。
【背景技術】
【０００２】
従来のユニットバスの天井パネル取付構造は、天井連結材を長孔を介して天井パネルに嵌めた後、ユニットバスの浴室を構成する側の面（以下、表面と記載）から操作片を回転させ、天井連結材の固定部を天井パネルの裏面に当接させ壁パネルに天井パネルを固定するものがある（例えば、特許文献１参照）。
【０００３】
しかし、天井パネルの取付および取外作業を行った時に、操作片や操作片を回転させる工具により天井パネルおよび壁パネルの表面を傷つける虞があった。
【０００４】
更に、天井パネルの取り外し時には操作片を回転させるため、天井パネルと壁パネルとの間を埋めたシール材を外す必要があった。
【０００５】
また、天井連結材の上端面あるいは下端面に弾性部材からなる弾性片を設け、天井パネルと壁パネルの連通した連通孔を弾性片のみが通過するものがある（例えば、特許文献２参照）。
【０００６】
これは、連通孔通過時に弾性片が連通孔の縁に押され縮径して、通過後に元の寸法に拡径するものであり、弾性片と天井連結材との間に壁パネルと天井パネルとを挟むことで、壁パネルに天井パネルを固定するものもある。
【０００７】
しかしながら、壁パネルに天井パネルを固定した状態の弾性片の寸法は、上記連通孔の径よりも長いため、弾性片を天井連結材から切り取るなどして取り除かない限り、壁パネルと天井パネルとの固定を解除できないものであった。
【特許文献１】実開平０６−７１７７９号公報
【特許文献２】特開平０８−９３１２５号公報
【発明の開示】
【発明が解決しようとする課題】
【０００８】
そこで、本発明は、上記従来の問題点に鑑みて発明したものであり、ユニットバスの天井パネルおよび壁パネルの表面を傷つけずに、天井パネルを壁パネルに対して容易に取付および取外作業を行えるユニットバスの天井パネル取付構造を提供するものである。
【課題を解決するための手段】
【０００９】
上記課題を解決するために、本発明の請求項１記載のユニットバスの天井パネル３取付構造は、天井連結材５の本体外面から斜め外下方に向けて弾性を有する羽根部７を連出させ、前記天井連結材５を壁パネル１の上面２に回転自在に取り付けた。また、天井パネル３に長孔４を設け、前記長孔４の短辺寸法を、前記羽根部７の縮径した状態の前記天井連結材５の前記羽根部７を有する側の寸法および前記天井連結材５の前記羽根部７の無い側の寸法より長く、且つ前記羽根部７の拡径した状態の前記天井連結材５の前記羽根部７を有する側の寸法より短く設定し、長辺寸法を前記羽根部７の拡径した状態の前記天井連結材５の前記羽根部７を有する側の寸法より長く設定した。そして、前記壁パネル１の上面２と前記天井パネル３との間に弾性材料からなる圧接材１２を介在させて、前記天井連結材５を前記長孔４に嵌めるとともに、前記羽根部７の下端を前記長孔４の長辺側の前記天井パネル３の上面１３に弾接させた。
【００１０】
このような構成をすることで、前記長孔４に前記天井連結材５を嵌めて、前記羽根部７を前記長孔４で縮径させながら、前記天井パネル３を前記羽根部７より下となる高さまで落とし込むだけで、前記天井連結材５を回転させること無く前記天井パネル３の上面１３に前記天井連結材５が弾接し、前記壁パネル１に前記天井パネル３を取り付けられる。そして、前記長孔４の短辺寸法が前記天井連結材５の前記羽根部７の無い側の寸法より長く、且つ長辺寸法が拡径した状態の前記天井連結材５の羽根部７を有する側の寸法より長いため、前記天井パネル３の温調設備などを点検する点検口を利用して前記天井パネル３の上面１３側の空間から前記天井連結材５を回転させて、前記長孔４の短辺側に前記羽根部７を位置させることで、前記天井連結材５による前記天井パネル３の上面１３への弾接が解かれ、前記壁パネル１と前記天井パネル３の間を保護するシール材を外さずに、前記天井パネル３を前記壁パネル１から取り外すことができる。
【発明の効果】
【００１１】
上記のように、本発明のユニットバスの天井パネル取付構造は、天井連結材を回転させずに天井パネルを落とし込むだけで、壁パネルに天井パネルを取り付けられるため、壁パネルおよび天井パネルの表面を傷つけることなく、容易に取付作業を行える。そして、シール材を外さずに天井パネルの上面側の空間から天井連結材を回転させるだけで、天井パネルを壁パネルから取り外せるため、壁パネルおよび天井パネルの表面を傷つけることなく、容易に取外作業を行える。
【発明を実施するための最良の形態】
【００１２】
以下、本発明を添付図面に示す実施形態に基づいて説明する。
【００１３】
図１および図２に示すユニットバスの天井パネル３取付構造は、壁パネル１と、壁パネル１に回転自在に取り付けた天井連結材５と、天井連結材５に嵌める長孔４を備えた天井パネル３と、壁パネル１の上面２に設置した弾性材料からなる圧接材１２と、からなるものである。
【００１４】
また、上記天井連結材５は、略円筒形状の連結材本体６と、連結材本体６の外面の両側部の上部から夫々連出した一対の羽根部７と、連結材本体６の中央に上下に貫通した挿入孔８と、挿入孔８に上方から挿通して天井連結材５を壁パネル１の上面２に回転自在に取り付ける取付ねじ１０と、からなるものである。
【００１５】
そして、上記羽根部７は、下端に向かうほど前記連結材本体６から離れるように斜め外下方に向けて連出した弾性を有する板状のものであり、羽根部７の上端から下端までの寸法は、羽根部７が連出した連結材本体６の位置から連結材本体６の下端までの寸法より短いものである。
【００１６】
更に、挿入孔８の上部は、他の部分より径の大きい頭部収納部９となっており、取付ねじ１０が壁パネル１に螺着すると、取付ねじ１０の頭部１１が頭部収納部９に収納されて、連結材本体６より上に頭部１１が突出せず、天井パネル３を壁パネル１に取り付ける時に、取付ねじ１０に天井パネル３が接触しないため、取付ねじ１０により天井パネル３を傷つける虞が無い。
【００１７】
また、天井パネル３には、壁パネル１の天井連結材５の位置に合せて、壁パネル１に平行な方向に長い長孔４を設ける。
【００１８】
この、長孔４の短辺寸法は、羽根部７を縮径した状態の天井連結材５の羽根部７を有する側の寸法および天井連結材５の羽根部７の無い側の寸法より長く、且つ羽根部７を拡径した状態の天井連結材５の羽根部７を有する側の寸法より短く形成してある。そして、長辺寸法は、羽根部７を拡径した状態の天井連結材５の羽根部７を有する側の寸法より長く形成してある。
【００１９】
また、長孔４の長辺側の天井パネル３の上面１３に羽根部７の下端が位置するように天井連結材５に長孔４を嵌めることで、圧接材１２が壁パネル１の上面２と天井パネル３の間で圧縮され、羽根部７の下端が天井パネル３の上面１３に弾接し、天井パネル３が壁パネル１に取り付けられる。
【００２０】
以下、図３および図４より、本実施例における天井パネル３の壁パネル１への取付および取外手順を説明する。
【００２１】
天井パネル３の取り付け前に、壁パネル１の上面２に天井連結材５を取付ねじ１０で回転自在に取り付けた後、壁パネル１を組み立てユニットバスの壁面を形成する。そして、壁面組立後、弾性材料かならる圧接材１２を連結材本体６よりユニットバスの内部側にずれた位置で壁パネル１の上面２に設置する。
【００２２】
そして、天井パネル３に長孔４を形成し、羽根部７側に長孔４の長辺を位置させた状態で天井連結材５に上方から長孔４を嵌めて、天井パネル３を壁パネル１の上面２に向けて落とし込むことで、羽根部７が長孔４の長辺により連結材本体６側へ押され、天井連結材５は羽根部７を縮径し、図３（ａ）および図４（ａ）の状態となる。
【００２３】
更に、天井パネル３を所定高さ（天井パネル３の上面１３より上に羽根部７が位置する高さ）まで壁パネル１の上面２に向けて落とし込むことで、長孔４から開放された羽根部７が弾性により拡径して、長孔４の長辺側の天井パネル３の上面１３に位置する。
【００２４】
また、上記所定高さまで落とし込んだ時、天井パネル３は圧接材１２を圧縮するため、圧接材１２からの反力により、羽根部７の下端と天井パネル３の上面１３とが弾接して、天井パネル３は壁パネル１に取り付けられ、図４（ｂ）および図４（ｂ）の状態となる。
【００２５】
そして、壁パネル１の上面２と天井パネル３との間を、シール材（特に図示しない）により保護することで、天井パネル３の壁パネル１への取付作業が完了する。なお、上記圧接材１２が弾性に加えシール性を有するものであった場合、圧接材１２をシール材としても用いることで、別途シール材を用いなくてもよい。
【００２６】
したがって、天井パネル３を壁パネル１に取り付ける時に、天井連結材５を回転させることなく、所定高さまで天井パネル３を落とし込むだけで、天井パネル３を壁パネル１に取り付けることができる。
【００２７】
また、天井パネル３を取り外す時には、ユニットバスの天井面に設けた換気設備（特に図示しない）や、温調設備（特に図示しない）などを点検する点検口（特に図示しない）を介して天井パネル３の上面１３側の空間から工具を用いて取付ねじ１０と壁パネル１との螺着を解き、天井連結材５を壁パネル１から取り外すことで、天井パネル３を壁パネル１から取り外せる。
【００２８】
しかし、天井パネル３の上面１３側の空間が狭く、取付ねじ１０の螺着を解く工具を用いることができない場合がある。
【００２９】
上記のような場合、天井パネル３の上面１３側の空間から直接手などで連結材本体６を略９０°回転させて、羽根部７を長孔４の短辺側に位置させ、図４（ｃ）の状態にする。この状態になると、天井連結材５の天井パネル３への弾接が解除されるため、天井パネル３を壁パネル１から取り外すことができる。
【００３０】
したがって、シール材を取り除いたり、羽根部７を切り取ったりせずに、天井パネル３の上面１３側の空間から連結材本体６を回転させるだけで、壁パネル１から容易に天井パネル３を取り外せる。更に、壁パネル１の上面２と天井パネル３との間で作業を行う必要が無いため、取外作業においてもユニットバスの表面を傷つけずに行える。
【００３１】
また、天井パネル３を取り外した状態で、羽根部７を長孔４の長辺側に位置するよう連結材本体６を略９０°回転させた後、長孔４を天井連結材５に嵌めることで、図３（ａ）および図４（ａ）の状態となる。そして、天井パネル３を所定高さまで落とし込むことで、天井連結材５が天井パネル３に弾接した図３（ｂ）および図４（ｂ）の状態となり、再度天井パネル３を壁パネル１に取り付けることができる。
【００３２】
したがって、天井パネル３を取り外してユニットバスの点検などを行った後、再度天井パネル３を取り付ける時に、外した天井連結材５を再度取り付けるもしくは天井連結材５を再度回転させることで、天井パネル３の取付作業を行える状態となる。更に、天井パネル３を再び取り付ける時に、新たな天井連結材５を必要としないため、点検時における費用を抑制できる。
【００３３】
なお、圧接材１２は、長孔４により縮径した羽根部７が元の寸法に拡径するのを妨げず、天井連結材５が天井パネル３に弾接して天井パネル３を壁パネル１に取り付けることができれば、形状および材質は特に限定しない。もちろん、上記圧接材１２が、壁パネル１と天井パネル３の間を保護するシール材としての役目を備えたものであってもよい。
【図面の簡単な説明】
【００３４】
【図１】本発明の実施例の斜視図である。
【図２】同上の正面図である。
【図３】同上の、（ａ）は天井連結材に天井パネルを嵌めた状態の正面図であり、（ｂ）は天井連結材と圧接材で天井パネルを圧接した状態の正面図である。
【図４】同上の、（ａ）は図３（ａ）の状態の平面図であり、（ｂ）は図３（ｂ）の状態の平面図であり、（ｃ）は羽根部を長孔の短辺側に回転させた状態の平面図である。
【符号の説明】
【００３５】
１  壁パネル
２  壁Ｐ上面
３  天井パネル
４  長孔
５  天井連結材
６  連結材本体
７  羽根部
８  挿入孔
９  頭部収納部
１０  取付ねじ
１１  頭部
１２  圧接材
１３  天井Ｐ上面
【図１】
2010053540.tif 000003
【図２】
2010053540.tif 000004
【図３】
2010053540.tif 000005
【図４】
2010053540.tif 000006